(57)【特許請求の範囲】
【請求項１】
搬入されるワークに対して印刷部にてスクリーン版をワークに整合させた後、スキージユニットのスキージによってスクリーン印刷するスクリーン印刷機において、前記スキージユニット自体は移動されることなく印刷部に固定配置されていると共に、前記スキージユニットとは別にスクリーン版支持機構を前記印刷部に設け、この前記スクリーン版支持機構には、移動可能にして前記スクリーン版支持機構に支持した前記スクリーン版をワークに対しての所定位置に整合させる整合手段と、整合後の前記スクリーン版を固定する固定手段とを設け、整合時には前記スクリーン版のみを移動させ、前記スキージは移動しないようにしてあり、前記スクリーン版支持機構は、前記印刷部に立脚配置したフレーム支柱相互間に装架した左右の支持フレームの下方に相対向して配置された支持体と、この前記支持体相互間で支持される前記スクリーン版をスライド移動自在に保持する版受け部材とを備え、前記整合手段は前記版受け部材上に載置された前記スクリーン版をワークに対する印刷位置に整合するようにしてあることを特徴とするスクリーン印刷機。
【請求項２】
前記スクリーン版支持機構によって支持される前記スクリーン版の下方には、印刷時には前記スクリーン版の下方に配されるワークを前記スクリーン版に押圧する印刷ローラを昇降自在に、また前記印刷ローラを前記スキージと共に移動走行するように配してある請求項１に記載のスクリーン印刷機。
【請求項３】
ワークは、前記スクリーン版下方に連続供給されるウェブ状である請求項１または２に記載のスクリーン印刷機。
【請求項４】
前記整合手段は、前記スクリーン版の周囲枠を前後方向に移動させるよう、左右の前記支持体それぞれに配した左右のＸ軸整合ユニットと、同様に前記周囲枠を左右方向に移動させるよう、左右の前記Ｘ軸整合ユニットの少なくともいずれか一方に連繋されて配したＹ軸整合ユニットとから成る請求項１乃至３のいずれかに記載のスクリーン印刷機。
【発明の詳細な説明】
【技術分野】
【０００１】
本発明は、スクリーン印刷に際し、被印刷物であるワークに対し正確な位置に印刷できるよう整合装置を備えたスクリーン印刷機に関する。
【背景技術】
【０００２】
従来から、各種のワークに対するスクリーン印刷に際し、例えば印刷テーブル上に保持されたワークに対してスクリーン版枠を正確な印刷位置に合致させるため、印刷前の処理としてワークと版枠とが照応するように版枠をワークに対してＸ方向、Ｙ方向更にはθ角で移動・回転させて位置合わせする。そのため、スクリーン印刷機における印刷部に整合装置を配置構成して成る例えば特許文献１に示されるスクリーン印刷機がある。これは、スキージを備えるスキージユニットを設けてある印刷部に配した支持支柱に整合ユニット体を設け、版枠を固定支持した支持枠体を整合ユニット体によって、ワーク・版枠それぞれに表示されている位置合わせマークを合致させるように、版枠を支持している支持枠体を移動、回転させて整合するものとしてある。これによって、整合後にワークを移動させることなく高精度で印刷可能とする。
【０００３】
一方、特許文献２に示されるスクリーン印刷方法および装置があり、これによると、スクリーンを介してスキージと支持ロール（印刷ローラ）とを対向させて配置し、ウェブ状ワークである被印刷シートを支持ロールの周面上に曲げた状態で載せてスクリーンに接触させながら、スキージを支持ロールと共にスクリーンの面方向に移動させてウェブ状ワークにスクリーン印刷を行うとする。
【先行技術文献】
【特許文献】
【０００４】
【特許文献１】特許第５０２３１１８号公報
【特許文献２】特開平９−３００５７９号公報
【発明の概要】
【発明が解決しようとする課題】
【０００５】
上記の特許文献１による整合装置は、整合するに際しスクリーンの版枠とワークとを位置合わせするには、印刷部に配されている、版枠を支持する支持枠体とスキージを備えているスキージユニットとが一体的に移動、回転することで、ワークに対して位置合わせされるよう構成されている。すると、特許文献２に示されるようにウェブ状ワークに対してスクリーン印刷をするときに、その整合装置として特許文献１に示されるスクリーン印刷装置における整合装置を適用するには、スキージ（スキージユニット）、スクリーンの版枠、更には支持ロールをもワークを介しての上下で一体的に構成して整合できるようにしなければならないから、複雑な構成とならざるを得ない。しかも、スキージと支持ロールとを整合させるように対向構成させることも困難である。
【０００６】
そこで本発明は上述したような従来存した諸事情に鑑み創出されたもので、その目的は例えば特許文献２に示されるようなウェブ状ワークにスクリーン印刷を行う場合であっても、またプレート状のワークであっても同様にこれらのワークに対する正確な印刷位置にスクリーン版を整合できるようにするのであり、しかも簡易な構成で整合可能とする整合装置を備えたスクリーン印刷機を提供することにある。
【課題を解決するための手段】
【０００７】
上述した課題を解決するため、本発明にあっては、後述する発明を実施するための形態における使用符号を付記して説明すると、搬入されるワークＷに対して印刷部にてスクリーン版ＳをワークＷに整合させた後、スキージユニット２０のスキージ２２によってスクリーン印刷するスクリーン印刷機において、前記スキージユニット２０自体は移動されることなく印刷部に固定配置されていると共に、前記スキージユニット２０とは別にスクリーン版支持機構１０を前記印刷部に設け、この前記スクリーン版支持機構１０には、移動可能にして前記スクリーン版支持機構１０に支持した前記スクリーン版ＳをワークＷに対しての所定位置に整合させる整合手段１３と、整合後の前記スクリーン版Ｓを固定する固定手段１６とを設け、整合時には前記スクリーン版Ｓのみを移動させ、前記スキージ２２は移動しないようにしてあることを特徴とする。
前記スクリーン版支持機構１０によって支持される前記スクリーン版Ｓの下方には、前記スクリーン版Ｓの下方に配されるワークＷを前記スクリーン版Ｓに押圧する印刷ローラ３０を昇降自在に、また前記スキージ２２と共に移動走行するように配して構成することができる。
ワークＷは、前記スクリーン版Ｓ下方に連続供給されるウェブ状であるものとして構成することができる。
前記スクリーン版支持機構１０は、前記印刷部に立脚配置したフレーム支柱３相互間に装架した左右の支持フレーム４の下方に相対向して配置された支持体１１と、この前記支持体１１相互間で支持される前記スクリーン版Ｓをスライド移動自在に保持する版受け部材１２とを備え、前記整合手段１３は前記版受け部材１２上に載置された前記スクリーン版ＳをワークＷに対する印刷位置に整合するように構成することができる。
前記整合手段１３は、前記スクリーン版Ｓの周囲枠を前後方向に移動させるよう、左右の前記支持体それぞれに配した左右のＸ軸整合ユニット１４と、同様に前記周囲枠を左右方向に移動させるよう、左右の前記Ｘ軸整合ユニット１４の少なくともいずれか一方に連繋されて配したＹ軸整合ユニット１５とから構成することができる。
【０００８】
以上のように構成された本発明に係るスクリーン印刷機にあって、スクリーン版支持機構１０に設けた整合手段１３は、スクリーン印刷機本体１における印刷部において、スキージユニット２０とは別に構成されているスクリーン版支持機構１０に支持されているスクリーン版Ｓのみを前後、左右に、更には回転移動させ、搬入されるワークＷに対しての印刷位置に整合させる。
搬入されるワークＷがウェブ状であっても、プレート状であってもスクリーン版Ｓのみに対する整合作動で済み、この整合作動に伴いスキージユニット２０更には印刷ローラ３０等に対する移動による整合操作を要せず、これらを連繋させる構成も必要ないことで、全体構成を簡素にさせる。
ウェブ状のワークＷは、スクリーン版Ｓ下方に連続供給され、そして昇降してスキージ２２と共に移動走行する印刷ローラ３０によってスクリーン版Ｓに押圧された状態でスクリーン印刷され、印刷後ではスクリーン版Ｓからスムーズに離反させられる。
整合手段１３の作動による整合時のスクリーン版Ｓは版受け部材１２上に載置されていることで、前後、左右更には回転のスライド移動を円滑にし、正確な位置に整合調整させ、固定手段１６は整合後のスクリーン版Ｓをスクリーン版支持機構１０内でしっかりと固定支持させる。
整合手段１３におけるＸ軸整合ユニット１４はスクリーン版Ｓの周囲枠の左右を例えば前後方向に移動させ、更には回転させ、Ｙ軸整合ユニット１５はスクリーン版Ｓを例えば左右方向にそれぞれ移動させ、ワークＷに対して正確に整合させる。
【発明の効果】
【０００９】
本発明は以上説明したように構成されているため、スクリーン印刷機本体１における印刷部において支持されたスクリーン版Ｓを、このスクリーン版Ｓの下方に搬入されるワークＷに対して正確な位置に整合でき、しかもスキージユニット２０自体の移動調整は必要なく、スクリーン版Ｓのみを前後、左右更には回転させることでよいから、構成的にも簡素であり、保守点検も容易である。また、ワークＷ自体は、間欠的にでも連続供給されるウェブ状であっても、プレート状であっても、これらの下方から支持する印刷ローラ３０あるいは印刷テーブルを、またスクリーン版支持機構１０自体を整合作動に伴い移動調整する必要もない。
【００１０】
すなわち、これは本発明において、スキージユニット２０自体を移動させることなく印刷部に固定配置すると共に、スキージユニット２０とは別にスクリーン版支持機構１０を印刷部に設け、このスクリーン版支持機構１０には、移動可能にしてスクリーン版支持機構１０に支持した前記スクリーン版ＳをワークＷに対しての所定位置に整合させる整合手段１３と、整合後の前記スクリーン版Ｓを固定する固定手段１６とを設け、整合時にはスクリーン版Ｓのみを移動させ、前記スキージ２２は移動しないようにしてあるからであり、これによって、ワークＷに対するスクリーン版Ｓの整合動作を簡単、容易にすることができる。
【００１１】
また、ワークＷがウェブ状である場合、スクリーン版Ｓの下方に配置されるワークＷをスクリーン版Ｓの上方に位置するスキージ２２と、ワークＷを下方から支持するローラー状の印刷ローラ３０とによって挟み込んで印刷することとしても、スクリーン版ＳのワークＷに対する整合動作は、スキージユニット２０とは別に構成したスクリーン版支持機構１０の整合手段１３によってスクリーン版Ｓのみを移動調整すればよいから、スキージユニット２０、印刷ローラ３０のいずれに対してもその整合調整は不要であり、構成を簡素化できる。
【００１２】
しかも、ワークＷはウェブ状である場合に限らず、ローラー状の印刷ローラ３０に代えて印刷テーブルによってプレート状のワークＷを支持することで、これに対しても同様に実施できる。
【００１３】
スクリーン印刷機本体１に設けた整合手段１３は、左右のＸ軸整合ユニット１４、Ｙ軸整合ユニット１５から成ることで、Ｘ軸整合ユニット１４それぞれの同一のあるいは逆の前後方向への移動操作で、スクリーン版Ｓ自体を前後方向にあるいは所定角度での回転を可能にし、またＹ軸整合ユニット１５の左右方向への移動操作でスクリーン版Ｓを左右方向に移動でき、これらの組合せ動作でスクリーン版ＳをワークＷに対して正確に位置決めさせることができる。
【００１４】
また、整合手段１３によるスクリーン版Ｓの整合作動は、スクリーン版支持機構１０に設けてある版受け部材１２上にスクリーン版Ｓをスライド移動自在にして載置してあるから、整合手段１３によってスムーズに位置合わせでき、位置合わせ後では固定手段１６によってスクリーン版Ｓを確実に固定することができる。
【００１５】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１６】
【図１】本発明を実施するための一形態を示す平面図である。
【図２】同じく図１におけるＡ−Ａ線矢視図である。
【図３】同じく図１におけるＢ−Ｂ線矢視図である。
【図４】同じく側面図である。
【発明を実施するための形態】
【００１７】
以下、図面を参照して本発明を実施するための一形態を説明すると、図において示される符号１は搬入される被印刷物である例えば連続しているウェブ状のワークＷに対してスクリーン印刷を施し、スクリーン印刷後のワークＷを搬出するスクリーン印刷機本体である。このスクリーン印刷機本体１における印刷部は、この印刷部を区画形成する印刷部フレーム２の例えば四隅に立脚形成したフレーム支柱３の左右部で、前後方向に沿って支持フレーム４を装架して成る。
【００１８】
そして、この図示例の支持フレーム４には、ワークＷに対して印刷位置を整合させてスクリーン版Ｓを支持するスクリーン版支持機構１０と、スクリーン版Ｓの下方に搬入されるワークＷに対してスクリーン版Ｓ上からインクその他の所定の塗布剤等を塗布印刷するスキージ２２、印刷後の塗布剤等を均すスクレーパー２３を備えていて、支持フレーム４に沿って前後に走行するスキージユニット２０と、スクリーン版Ｓ下方に供給されるワークＷを下方からスキージ２２側に押圧支持するようスキージ２２と共に前後に走行する印刷ローラ３０とを支持形成してある。
【００１９】
スクリーン版支持機構１０は、スキージユニット２０の下方に位置させて、スキージ２２を備えるスキージユニット２０とは別に構成されていて、整合時には、このスクリーン版支持機構１０のみが、移動調整されないスキージユニット２０とは別個に移動、回転されるようにしてある。スクリーン版支持機構１０は、図示のように左右の支持フレーム４の下方に、相対向して配置された例えば断面でＬ字状を呈する支持体１１と、この左右の支持体１１相互間で支持されるスクリーン版Ｓを移動自在にして載置するよう支持体１１上に配されたフリーボールベアリングの如き版受け部材１２と、版受け部材１２上に載置されたスクリーン版ＳをワークＷに対する印刷位置に対応して前後左右更には回転移動して整合する整合手段１３と、整合後のスクリーン版Ｓを固定する固定手段１６とを備える。
【００２０】
支持体１１は、その直立部分によって支持フレーム４の底面に連結され、水平部分によってスクリーン版Ｓの周囲枠における左右枠部分を支持するようにしてあり、この左右枠部分を前後あるいは左右に移動させ、更にはいずれか一方を前後あるいは左右に移動することによって所定角度で回転させられることでスクリーン版Ｓ自体をこれの下方に搬入されるワークＷに対する印刷位置を整合させるようにしている。
【００２１】
版受け部材１２すなわちフリーボールベアリングは、例えば支持体１１の水平部分上面に固定される台座の上面に一部が外出状態でフリーに回転可能にしたボールを埋め込み形成して成り、このボールに載置されたスクリーン版Ｓを載置させたままで自由な方向にスライド移動自在にしている。
【００２２】
整合手段１３は、図示例にあってはスクリーン版Ｓにおける紗（シャ）を保持して一体となっている周囲枠の左右枠部分を前後方向に移動更には回転させるよう、左右の支持体１１それぞれに配した左右のＸ軸整合ユニット１４と、同様に周囲枠を左右方向に移動させるよう、この左右のＸ軸整合ユニット１４の少なくともいずれか一方に連繋されて配したＹ軸整合ユニット１５とから成る。これらの整合ユニット１４，１５は、駆動源と、この駆動源によって例えば回転するボールねじによって移動されるよう周囲枠と締結された、あるいは周囲枠を強制的に押し付け、あるいは牽引して移動させる移動体とを備えている公知のものである。周囲枠を前後方向に整合する際はＸ軸整合ユニット１４の移動体を同一方向に移動させ、周囲枠を回転方向に整合する際は左右のＸ軸整合ユニット１４の移動体をそれぞれ異なる方向へ移動させるか、左右のＸ軸整合ユニット１４のいずれか一方の移動体のみを移動させる。また、これらの整合ユニット１４，１５による前後、左右、更には回転移動は、例えばワークＷに表示されている整合マークにスクリーン版Ｓに表示されている同様な整合マークが合致するように例えばＣＣＤカメラ（図示せず）等で撮像し光学的に処理することで、スクリーン版Ｓを移動制御する図示を省略した整合制御機構によってなされるようにしてある。
【００２３】
固定手段１６は、例えばスクリーン版Ｓの周囲枠を前記版受け部材１２側に押圧するよう、スクリーン版Ｓの上方に位置して配されており、例えばシリンダ作動で突出するロッド・ピン状の押圧体を備えて成る。この固定手段１６は図示のように前記版受け部材１２位置の上方あるいはその近傍に配置されていて、スクリーン版Ｓを版受け部材１２の上面に押圧することで左右の支持体１１上でスクリーン版Ｓを移動させることなくしっかりと固定するようにしている。
【００２４】
スキージユニット２０は、左右の前記支持フレーム４の上部相互間に前記スクリーン版支持機構１０とは別に装架したスキージバー２１に、このスキージユニット２０自体の印刷作動の前進時では下降してスクリーン版Ｓ上を擦動するスキージ２２、インキ均し作動の後退時では下降してスクリーン版Ｓ上に当接走行するスクレーパー２３を設けて成り、スキージ２２、スクレーパー２３それぞれは非作動時では上昇位置で待機している。
【００２５】
印刷ローラ３０は、スクリーン版支持機構１０の下方の印刷部フレーム２上に、昇降制御されて前後方向にスキージ２２の移動と共に走行自在となるように設けられており、連続供給されるウェブ状のワークＷを、スキージ２２による印刷時には下方からスクリーン版Ｓ下面に押圧させる上昇位置でスキージ２２と共に走行するようにしてある。
【００２６】
もとより、この印刷ローラ３０は、ウェブ状のワークＷに印刷する場合に設けられ、このワークＷがプレート状の例えば回路基盤等である場合には盤状の印刷テーブルが配置される（図示せず）。
【００２７】
次にこれの作動の一例を説明すると、図示を省略したウェブ供給機構から連続して供給されるウェブ状のワークＷを印刷ローラ３０に掛け渡し、同じく図示を省略した巻取機構に巻き取らせるようにしておく一方、印刷部フレーム２におけるスクリーン版支持機構１０に所定のスクリーン版Ｓをセットする。セットされたスクリーン版Ｓは、そのセット位置がワークＷに対する印刷位置に対応しているか否かを整合制御機構によって検出し、位置がずれていることを検出すると、整合手段１３におけるＸ軸整合ユニット１４、Ｙ軸整合ユニット１５それぞれが作動し、ワークＷに表示されている整合マークに合致させるようスクリーン版Ｓを前後、左右更には回転させて位置決めする。なお、この整合作動は、スクリーン版Ｓのみが移動調整され、この移動調整中ではスキージユニット２０自体、更にはスキージ２２自体も移動されない。整合が終了した後、スキージユニット２０におけるスキージ２２、スクレーパー２３が作動し、ワークＷ上にスクリーン印刷が施され、印刷が施されたワークＷ部分は巻取機構側に搬送され、次のワークＷ部分が再度搬入され、印刷されるもので、連続するウェブ状のワークＷの場合はスクリーン印刷の動作に対応させて間欠的に搬送される。
【００２８】
これは、ワークＷがプレート状である場合も同様に行われ、順次に印刷処理される。
【符号の説明】
【００２９】
Ｓ…スクリーン版                        Ｗ…ワーク
１…スクリーン印刷機本体                ２…印刷部フレーム
３…フレーム支柱                        ４…支持フレーム
１０…スクリーン版支持機構              １１…支持体
１２…版受け部材                        １３…整合手段
１４…Ｘ軸整合ユニット                  １５…Ｙ軸整合ユニット
１６…固定手段
２０…スキージユニット                  ２１…スキージバー
２２…スキージ                          ２３…スクレーパー
３０…印刷ローラ
【図１】
0006510845.tif 000002
【図２】
0006510845.tif 000003
【図３】
0006510845.tif 000004
【図４】
0006510845.tif 000005